(57)【要約】      （修正有）【課題】貫通孔に、材質の制限なく、比較的容易に装飾を施せるアクセサリー用の透明ビーズを提供する。【解決手段】アクセサリー用の透明ビーズＸは、透明な素材からなり、紐を通す貫通孔１１が設けられたビーズ本体１０と、貫通孔とほぼ同じ長さを有し、貫通孔に紐とともに入る断面形状及び大きさ有する細長い部材からなり、表面に、文字、模様、色彩の少なくとも一つが施された表示体２０とから構成される。【選択図】図１
0003203170.tif 000002
【実用新案登録請求の範囲】
【請求項１】
透明な素材からなり、紐を通す貫通孔が設けられたビーズ本体と、
前記貫通孔とほぼ同じ長さを有し、前記貫通孔に前記紐とともに入る断面形状及び大きさ有する細長い部材からなり、表面に、文字、模様、色彩の少なくとも一つが施された、前記貫通孔内に設けられる表示体と
を有するアクセサリー用透明ビーズ。
【請求項２】
前記表示体は筒体により形成されるものである請求項１に記載のアクセサリー用透明ビーズ。
【請求項３】
前記表示体は、前記貫通孔内壁に嵌る外経を有する円筒体により形成される請求項２に記載のアクセサリー用透明ビーズ。
【請求項４】
前記表示体は、弾性を有するシートを円筒状に丸めたものである請求項３に記載のアクセサリー用透明ビーズ。
【考案の詳細な説明】
【技術分野】
【０００１】
本考案は、アクセサリーに用いられる透明なビーズに関する。
【背景技術】
【０００２】
透明なビーズは、ブレスレッドやネックレスなどに広く用いられるが、紐を通す貫通孔や、貫通孔を通る紐が外から見えてしまい、装飾効果を低下させてしまうという問題を有する。
これに対して、下記特許文献には、ビーズの貫通孔外周に図柄を描いた筒体を形成することが示されている。このように貫通孔の回りに図柄等を描くことで、ビーズの貫通孔による装飾効果を高めることが可能である。
【先行技術文献】
【特許文献】
【０００３】
【特許文献１】実用新案登録第３０２１２３４号公報
【考案の概要】
【考案が解決しようとする課題】
【０００４】
ところで、上記各特許文献に記載のビーズは、予め表面に図柄などが描かれたパイプ体からなる基材の外表面に合成樹脂をコーティングし、これを適当な大きさに切断した後で、球状に成形することで製造されるものである。
上記特許文献に記載のビーズはこのような製造方法を採用しているので、合成樹脂性のビーズしか作ることが難しく、また、製造に際しては大掛かりな設備が必要であり、注文に応じてその場で製作するといったことができないという問題がある。
本考案はこのような問題に鑑み、アクセサリー用の透明ビーズに設けられる貫通孔に、材質の制限なく、比較的容易に装飾を施せるようにすることを課題とする。
【課題を解決するための手段】
【０００５】
上記課題を解決するために、本考案は次のような構成を有する。
請求項１に記載の考案は、透明な素材からなり、紐を通す貫通孔が設けられたビーズ本体と、前記貫通孔とほぼ同じ長さを有し、前記貫通孔に前記紐とともに入る断面形状及び大きさ有する細長い部材からなり、表面に、文字、模様、色彩の少なくとも一つが施された、前記貫通孔内に設けられる表示体とを有するアクセサリー用透明ビーズである。
請求項２に記載の考案は、前記アクセサリー用透明ビーズにおいて、前記表示体は筒体により形成されるものである。
請求項３に記載の考案は、請求項２に記載のアクセサリー用透明ビーズにおいて、前記表示体は、前記貫通孔内壁に嵌る外経を有する円筒体により形成されるものである。
請求項４に記載の考案は、請求項３に記載のアクセサリー用透明ビーズにおいて、前記表示体は、弾性を有するシートを円筒状に丸めたものである。
【考案の効果】
【０００６】
請求項１に記載の考案は、ビーズ本体に設けられた貫通孔に文字、模様、色彩の少なくとも一つが施された表示体を内部に設けることで貫通孔部分に装飾を施すので、貫通孔が形成可能であればどのような素材にも適用が可能であり、また、表示体表面に文字等を施した後に貫通孔内に挿入すればよいので、大掛かりな装置などを要することなく、簡易に貫通孔内に装飾を施すことができる。
請求項２に記載の考案は、前記表示体を筒体とすることで、貫通孔全周の装飾が可能となる。
請求項３に記載の考案は、表示体を貫通孔内壁に嵌る外経を有する円筒体とすることで、表示体外周が貫通孔に摩擦係合するので、表示体が貫通孔から脱落することを抑制することができる。
請求項４に記載の考案は、弾性を有するシートを円筒状に丸めたものを表示体としたので、貫通孔内部で弾性により広がろうとすることで摩擦係合力が増し、また、挿入に際しては貫通孔内径より小さく丸めることで容易に挿入することができる。そして、広げると平らなシートとすることができるので、表面に文字、模様、色彩などをプリンターで容易に印刷することができる。
【図面の簡単な説明】
【０００７】
【図１】実施形態に係るアクセサリー用透明ビーズの分解斜視図である。
【図２】表示体を広げた状態を示す斜視図である。
【図３】実施形態に係るアクセサリー用透明ビーズの拡大正面図である。
【図４】（ａ）（ｂ）（ｃ）ともに、表示体の変形例を示す斜視図である。
【考案を実施するための最良の形態】
【０００８】
以下、本考案の実施の形態について、図面を参照しながら説明する。
図１に実施形態に係るアクセサリー用透明ビーズＸの分解斜視図を示す。アクセサリー用透明ビーズＸはビーズ本体１０と、表示体２０とから構成される。ビーズ本体１０は透明な水晶、ガラス、合成樹脂などにより形成される球体に貫通孔１１を設けたもので、市販されている透明なビーズをそのまま利用することができる。
【０００９】
表示体２０は、図２に示すような表面に文字や図形を印刷した長方形状のシート体を印刷部分が外側になるように丸めて円筒状にしたものであり、ビーズ本体１０の貫通孔１１内に挿入される。表示体２０の長さはビーズ本体１０の貫通孔１１と略同じ長さに設定される。表示体２０を構成するシート体は合成樹脂、紙、金属などの弾性を有するシートが用いられる。これにより円筒状に丸めると弾性により円筒を広げようとする力が発生することになり、貫通孔１１の内壁に外面が押し付けられることで摩擦力が高まり、表示体２０が貫通孔１１から抜けにくくなる。また、表示体２０を貫通孔１１に挿入する際には、貫通孔１１の内径よりも小さく丸めることで、比較的容易に表示体２０を貫通孔１１内に入れることができる。さらに、表示体２０は当初は平らなシートであるので、印刷や手書きでのデザインを表面に施すことが容易である。また、印刷に際しては、大きなシートに印刷してから表示体２０の大きさに切断することもできる。
【００１０】
図３に表示体２０をビーズ本体１０内に挿入した状態を表す拡大正面図を示す。なお、この図は便宜上透明なビーズ本体１０から表示体２０が見えている状態を示している。アクセサリー用透明ビーズＸは通常のビーズと同様に、ブレスレッド、ネックレス、イアリング、携帯ストラップ、バッグ用装飾ストラップなどのアクセサリーとして使用することができる。そして、アクセサリー用透明ビーズＸは透明なビーズ本体１０内に文字や図形を施した表示体２０を挿入することで、貫通孔１１を通る紐を隠すことができ、同時に貫通孔１１を装飾することができる。また、販売現場でビーズ本体１０と表示体２０と簡易に組み立てることができ、シート状の表示体２０には販売現場で文字、図形等を施すことも可能なので、販売現場で受注に応じたアクセサリー用透明ビーズを製造することができる。
【００１１】
なお、上記実施形態では、ビーズ本体１０の形状として球形のものを例示したが、ビーズ本体１０の形状は特に問わず、楕円球、直方体やその他の多面体等種々のものが採用できる。
さらに、ビーズ本体１０は貫通孔１１までが外部から見えれば足りるので、外表面に装飾が施されていたり、内部に金粉などの混入物が入っていたりしてもよい。
また、表示体２０は、上記実施形態では弾性のあるシート体を丸めたものを用いたが、貫通孔１１を完全に塞ぐことなく紐が通せる隙間を確保できるものであれば種々の変形が可能であり、図４（ａ）に示すように、貫通孔１１に嵌る外形を有する円筒体を用いることもでき、また、図４（ｂ）に示すように断面Ｖ字状のものや、図４（ｃ）に示すように短冊状のものを採用することも可能である。
【符号の説明】
【００１２】
Ｘ      アクセサリー用透明ビーズ
１０    ビーズ本体
１１    貫通孔
２０    表示体
【図１】
0003203170.tif 000003
【図２】
0003203170.tif 000004
【図３】
0003203170.tif 000005
【図４】
0003203170.tif 000006